(57)【特許請求の範囲】
【請求項１】
一面に開口が形成されたケーシングと、
前記ケーシングの内部に収容されて空気を吹き出す送風装置と、
回転軸を中心に回転することで前記送風装置から吹き出される空気の方向を変化させる風向誘導部と、
前記開口を覆うグリルと、を備え、
前記グリルには、前記回転軸と平行に延びる複数のスリットが形成され、
前記グリルにおいて前記スリット間に設けられる複数の壁部は、前記ケーシングの反対側となる一端部と前記回転軸との距離が大きい壁部ほど、前記一端部の反対側となる他端部から前記一端部までの高さが高く、
複数の前記壁部の前記一端部は、前記グリルの外側面上に配置されることを特徴とするサーキュレータ。
【請求項２】
前記送風装置は、ファンと、前記ファンの一部を覆うとともに前記ファンの回転時に空気を吹き出す吹出口が形成された内郭ケーシングとを有し、
前記内郭ケーシングが前記風向誘導部であることを特徴とする請求項１に記載のサーキュレータ。
【請求項３】
前記回転軸に沿って見た場合に、複数の前記壁部の他端部同士を結んだ仮想線が、前記回転軸を中心とする円弧と重なることを特徴とする請求項１または２に記載のサーキュレータ。
【請求項４】
前記壁部は、前記回転軸に沿って見た場合に、前記他端部に向けて幅が狭くなることを特徴とする請求項１から３のいずれか１つに記載のサーキュレータ。
【発明の詳細な説明】
【技術分野】
【０００１】
本発明は、室内の空気を撹拌させるサーキュレータに関する。
【背景技術】
【０００２】
主に冬期の室内環境にて、天井付近と床付近との間に生じる温度分布のむらを解消して空調機器の負荷を低減するため、室内に空気を撹拌させるサーキュレータが配置される。サーキュレータは、一面に開口が形成されたケーシングの内部にファンを有する。ケーシングは、一般的に天井内に埋め込まれる。また、ケーシングに形成された開口は、スリットが形成されたグリルに覆われて、室内から見た意匠性の向上が図られている。このようなサーキュレータでは、ファンが運転されることで、グリルのスリットの隙間から空気が吹き出されて、室内の空気が撹拌される。
【０００３】
ケーシングの内部には、ファンの一部を覆うとともに、空気を吹き出す吹出口が形成された風向誘導部が設けられる。特許文献１には、風向誘導部が回転して回転角度を変化させることで、吹出口の位置を変化させて、サーキュレータからの空気の吹き出し方向を変化させる構成が開示されている。
【先行技術文献】
【特許文献】
【０００４】
【特許文献１】特開２００３−２２７６４０号公報
【発明の概要】
【発明が解決しようとする課題】
【０００５】
しかしながら、上記従来の技術によれば、風向誘導部の回転角度によって、グリルのスリット間に設けられる壁部と風向誘導部の吹出口との距離が異なってしまう。そのため、グリルのスリット間に設けられる壁部と風向誘導部の吹出口との距離が長くなってしまった場合には、スリットに到達する前に空気の速度が低下してしまい、グリルのスリットによる整流効果を十分に発揮させることができない場合がある。このように、グリルのスリットによる整流効果を十分に発揮させることができない場合に、サーキュレータの送風性能の低下を招くおそれがあるという問題がある。
【０００６】
本発明は、上記に鑑みてなされたものであって、風向誘導部の回転角度によらず、グリルのスリットによる整流効果を十分に発揮させることができるサーキュレータを得ることを目的とする。
【課題を解決するための手段】
【０００７】
上述した課題を解決し、目的を達成するために、本発明は、一面に開口が形成されたケーシングと、ケーシングの内部に収容されて空気を吹き出す送風装置と、回転軸を中心に回転することで送風装置から吹き出される空気の方向を変化させる風向誘導部と、開口を覆うグリルと、を備える。グリルには、回転軸と平行に延びる複数のスリットが形成され、グリルにおいてスリット間に設けられる複数の壁部は、ケーシングの反対側となる一端部と回転軸との距離が大きい壁部ほど、一端部の反対側となる他端部から一端部までの高さが高くなっている。
【発明の効果】
【０００８】
本発明にかかるサーキュレータによれば、風向誘導部の回転角度によらず、吹出口とグリルの壁部との距離の均一化を図ることで、グリルのスリットによる整流効果を十分に発揮させることができるという効果を奏する。
【図面の簡単な説明】
【０００９】
【図１】本発明の実施の形態１にかかるサーキュレータをグリル側から見た図
【図２】図１に示すＩＩ−ＩＩ線に沿った矢視断面図であって、グリルを底面側に向けた状態を示す図
【図３】図１に示すＩＩＩ−ＩＩＩ線に沿った矢視断面図であって、グリルを底面側に向けた状態を示す図
【図４】図１に示すＩＩＩ−ＩＩＩ線に沿った矢視断面図であって、内郭ケーシングの回転角度を図３と異ならせた状態を示す図
【図５】実施の形態１にかかるサーキュレータのグリル部分を拡大した部分拡大断面図
【図６】実施の形態１における壁部の変形例１を示す部分拡大断面図
【図７】実施の形態１における壁部の変形例２を示す部分拡大断面図
【発明を実施するための形態】
【００１０】
以下に、本発明の実施の形態にかかるサーキュレータを図面に基づいて詳細に説明する。なお、この実施の形態によりこの発明が限定されるものではない。
【００１１】
実施の形態１．
図１は、本発明の実施の形態１にかかるサーキュレータをグリル側から見た図である。図２は、図１に示すＩＩ−ＩＩ線に沿った矢視断面図であって、グリルを底面側に向けた状態を示す図である。図３は、図１に示すＩＩＩ−ＩＩＩ線に沿った矢視断面図であって、グリルを底面側に向けた状態を示す図である。
【００１２】
サーキュレータ１は、直方体形状のケーシング２を備える。ケーシング２の一面には開口３が形成されている。ケーシング２の内部には、送風装置４が収納されている。送風装置４は、ファンである羽根車７と、羽根車７を回転させる第１駆動部８と、羽根車７の一部を覆う風向誘導部である内郭ケーシング９とを有する、いわゆるクロスフローファンである。内郭ケーシング９には、吹出口１０が形成されている。
【００１３】
送風装置４では、羽根車７が回転することで、矢印Ａ，Ｂに示す気流が発生する。すなわち、矢印Ａに示すように羽根車７を介して内郭ケーシング９の内部に空気が吸い込まれ、矢印Ｂに示すように吹出口１０から空気が吹き出される。
【００１４】
内郭ケーシング９は、回転軸Ｃを中心に回転可能とされている。内郭ケーシング９は、第２駆動部１２によって回転されることで回転角度が変更される。図４は、図１に示すＩＩＩ−ＩＩＩ線に沿った矢視断面図であって、内郭ケーシング９の回転角度を図３と異ならせた状態を示す図である。図４に示すように、内郭ケーシング９を回転させることで、吹出口１０からの空気の吹き出し方向を変えることができる。
【００１５】
ケーシング２の開口３には、グリル６が取り付けられている。開口３はグリル６で覆われる。グリル６には、回転軸Ｃと平行に延びる複数のスリット６ａが形成されており、スリット６ａの間には複数の壁部５が設けられている。送風装置４から吹き出された空気が、スリット６ａを通して室内に吹き出されることで、室内の空気が撹拌される。本実施の形態１では、壁部５は、ケーシングの反対側となる一端部５１から、回転軸Ｃに向けて延びるように形成されているが、ケーシング２の側面と平行に形成されていてもよい。
【００１６】
図５は、実施の形態１にかかるサーキュレータ１のグリル６部分を拡大した部分拡大断面図である。なお、以下の説明で用いる上下方向は、水平面である天井面にグリル６が露出するようにサーキュレータ１が取り付けられた状態、すなわち図２から図４に示す状態における上下方向を示している。
【００１７】
壁部５は、一端部５１と回転軸Ｃとの距離Ｄが大きい壁部５ほど、一端部５１の反対側となる他端部５２から一端部５１までの高さＬが高くなっている。図５に示すように、複数の壁部５のうち、回転軸Ｃの鉛直下方に位置する壁部５ａは、一端部５１と回転軸Ｃとの距離Ｄａが最も短いため、他端部５２から一端部５１までの高さＬａも最も小さくなる。壁部５ａから壁部５ｂ、壁部５ｃとグリル６の端部に近づくにしたがって、距離Ｄｂ，Ｄｃも長くなるため、高さＬａ，Ｌｂ，Ｌｃの関係は、Ｌａ＜Ｌｂ＜Ｌｃとなる。
【００１８】
ここで、内郭ケーシング９の回転角度を変化させると、吹出口１０から吹き出された空気が向かう先の壁部５も変化する。以上説明したサーキュレータ１によれば、一端部５１と回転軸Ｃとの距離Ｄが大きい壁部５ほど、他端部５２から一端部５１までの高さＬが高くなっているため、内郭ケーシング９を回転させて回転角度を変化させた場合の、吹出口１０から吹き出された空気の向かう先にある壁部５の他端部５２と吹出口１０との距離の均一化を図ることができる。なお、以下の説明において、吹出口１０から吹き出された空気の向かう先にある壁部５のことを、吹出し先の壁部５と呼ぶ。
【００１９】
すなわち、内郭ケーシング９の回転角度が図２に示す状態の場合と、図４に示す状態の場合とで、吹出し先の壁部５の他端部５２と吹出口１０との距離の均一化を図ることができる。ここで、回転軸Ｃを中心に回転する内郭ケーシング９に吹出口１０が形成されているため、吹出口１０の位置は回転軸Ｃを中心とする円弧に沿って移動する。したがって、複数の壁部５の他端部５２同士を結んだ仮想線が、回転軸Ｃを中心とする円弧となるようにすることで、吹出し先の壁部５の他端部５２と吹出口１０との距離のより一層の均一化を図ることができる。
【００２０】
吹出し先の壁部５の他端部５２と吹出口１０との距離の均一化を図ることで、内郭ケーシング９の回転角度によらず、吹出口１０から吹き出されて壁部５の他端部５２に到達する空気の速度の一定化を図ることができる。これにより、グリル６のスリット６ａによる整流効果を十分に発揮させることができ、送風性能の向上を図ることができる。より具体的には、内郭ケーシング９の回転角度によらず、安定した速度でグリル６のスリット６ａから室内に空気を吹き出させることができるため、空気を撹拌する範囲を広げて、サーキュレーション効果の向上を図ることができる。
【００２１】
また、壁部５の高さを異ならせることは、ケーシング２およびグリル６のサイズを変えずに行うことができるものであるため、サーキュレータ１を大型化せずにサーキュレーション効果の向上を図ることができる。
【００２２】
図６は、実施の形態１における壁部５の変形例１を示す部分拡大断面図である。変形例１の壁部５では、他端部５２側の角部に面取りした面取り部５２ａが形成されている。これにより、ケーシング２側でのスリット６ａの面積が広がるため、吹出口１０から吹き出された空気がスリット６ａを通過して円滑に室内に吹き出され、サーキュレーション効果の向上を図ることができる。
【００２３】
図７は、実施の形態１における壁部５の変形例２を示す部分拡大断面図である。変形例２の壁部５では、回転軸Ｃに沿って見た断面形状が、一端部５１から他端部５２に向けて細くなる形状、すなわち台形形状となっている。これにより、ケーシング２の内部側でのスリット６ａの面積が広がるため、吹出口１０から吹き出された空気がスリット６ａを通過して円滑に室内に吹き出され、サーキュレーション効果の向上を図ることができる。
【００２４】
なお、本実施の形態１では、ケーシング２の内部に収納される送風装置４に、クロスフローファン（貫流式送風機）を用いたが、これに限定されるものではなく、遠心式送風機または軸流送風機であっても構わない。
【００２５】
また、本実施の形態１では、風向誘導部として吹出口１０が形成されて回転する内郭ケーシング９を用いたが、これに限定されるものではなく、吹出口１０の近傍に設けた可動式のルーバーであっても構わない。
【００２６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２７】
１  サーキュレータ、２  ケーシング、３  開口、４  送風装置、５  壁部、６  グリル、６ａ  スリット、７  羽根車、８  第１駆動部、９  内郭ケーシング（風向誘導部）、１０  吹出口、１２  第２駆動部、５１  一端部、５２  他端部、５２ａ  面取り部。
【図１】
0006587558.tif 000002
【図２】
0006587558.tif 000003
【図３】
0006587558.tif 000004
【図４】
0006587558.tif 000005
【図５】
0006587558.tif 000006
【図６】
0006587558.tif 000007
【図７】
0006587558.tif 000008